(57)【要約】  【課題】シャワーホースが捩れて、湯水の出が悪くなるという問題がなく、快適にシャワーを使うことができシャワー装置を提供する。  【解決手段】浴室壁面Ｗに上部固定手段２ａと下部固定手段２とによって固定されたスライドバー３に、シャワーヘッド４ａとシャワーホース４ｂの２ケ所を着脱自在に係止して使用するシャワー装置Ａにおいて、該スライドバー３の上部に該シャワーヘッド４ａを着脱自在に係止するヘッドフック５が設けられるとともに、上記スライドバー３の下部を固定する下部固定手段２に、上記シャワーホース４ｂを着脱自在、かつ、揺動自在に係止するホースフック１が連設されたことを特徴とする。【選択図】図１
2005054535.tif 000002
【特許請求の範囲】
【請求項１】
浴室壁面に上部固定手段と下部固定手段とによって固定されたスライドバーに、シャワーヘッドとシャワーホースの２ケ所を着脱自在に係止して使用するシャワー装置において、該スライドバーの上部に該シャワーヘッドを着脱自在に係止するヘッドフックが設けられるとともに、上記スライドバーの下部を固定する下部固定手段に、上記シャワーホースを着脱自在、かつ、揺動自在に係止するホースフックが連設されたことを特徴とするシャワー装置。
【請求項２】
上記ホースフックがスライドバーの下部固定手段のキャップ部にタッピングネジとダブルナットとによって揺動自在に螺着された請求項１に記載のシャワー装置。
【請求項３】
上記ヘッドフックが上記スライドバーに抵抗スライド自在に設けられた請求項１に記載のシャワー装置。
【請求項４】
上記ヘッドフックとホースフックとが弾性を有する合成樹脂から形成された請求項１に記載のシャワー装置。
【発明の詳細な説明】
【技術分野】
【０００１】
本発明は、シャワー装置に関する。さらに詳しくは、シャワーホースを係止するホースフックに関する。
【背景技術】
【０００２】
浴室に設置されるシャワーは、座って使う場合と、立ってシャワーを浴びる場合に対応して、通常２ケ所で係止されている。図４は、浴室壁面Ｗに固定されたスライドバー３にシャワー４のシャワーホース４ｂの下部と、シャワーヘッド４ａの２ケ所を係止した公知のシャワー装置Ｂを示す正面図である。本願図４において、スライドバー３は、上部固定手段２ａと下部固定手段８とによって浴室壁面Ｗに固定され、シャワーホース４ｂは、下部固定手段８の直下に設けられたホースフック９によって係止されるとともに、シャワーヘッド４ａは、ヘッドフック５によって、着脱自在に係止されている。本願図５は、上記スライドバー３の下部固定手段８と、シャワーホース４ｂの下部を係止するホースフック９を示す側断面図である。本願図５において、スライドバー３は、下部固定手段８に内設されたスライドバー支持部８１によって支持され、このスライドバー支持部８１は、固定用ビスＦによってしっかりと浴室壁面Ｗに固定される。上記装置に加えて、さらに、種々の技術が公知であり、例えば、特許文献１、２、３等があげられる。
【特許文献１】特開２００２−９７８１２号公報（第１−３頁、第１図、第３図）
【特許文献２】特開平８−８４６８１号公報（第１−４頁、第１図）
【特許文献３】実開昭６３−６８８７８号公報（第１−２頁、第２図、第４図、第５図）
【発明の開示】
【発明が解決しようとする課題】
【０００３】
しかしながら、上記シャワー装置Ｂを用いた場合、本願図５に示すように、側断面視コの字型のホースフック９にシャワーホース４ｂを浴室壁面Ｗと平行して保持したまま、シャワーヘッド４ａのみをヘッドフック２ａから着脱し、使用することが多い。そのため、シャワー使用時に、シャワーホース４ｂがシャワーヘッド４ａの動きに追従して動き難く、ホースフック９によって固定された状態となり、捩れたり、折れ曲がり、流路が狭くなって、湯水の出が悪くなるという問題がある。さらに、繰り返し、捩れ、折り曲げの力が加わる間に、シャワーホース４ｂが破断するという問題もある。本発明はこのような問題を解決して、快適にシャワーを使うことができるとともに、シャワーホース４ｂが傷むことのないシャワー装置を提供することを、その課題とする。
【課題を解決するための手段】
【０００４】
上記課題を解決するため、本発明においては、つぎのような技術的手段を講じている。すなわち、本発明によれば、浴室壁面に上部固定手段と下部固定手段とによって固定されたスライドバーに、シャワーヘッドとシャワーホースの２ケ所を着脱自在に係止して使用するシャワー装置において、該スライドバーの上部に該シャワーヘッドを着脱自在に係止するヘッドフックが設けられるとともに、上記スライドバーの下部を固定する下部固定手段に、上記シャワーホースを着脱自在、かつ、揺動自在に係止するホースフックが連設されたことを特徴とするシャワー装置が提供される。
【０００５】
上記ホースフックがスライドバーの下部固定手段のキャップ部にタッピングネジとダブルナットとによって揺動自在に螺着されることが好ましい。また、上記ヘッドフックが上記スライドバーに抵抗スライド自在に設けられることが好ましい。
【０００６】
上記スライドバーがステンレススチールからなることが好ましい。また、上記ヘッドフックとホースフックとが弾性を有する合成樹脂から形成されることが好ましい。
【発明の効果】
【０００７】
本発明の請求項１に記載のシャワー装置は上記のとおりであり、とくに、スライドバーの下部を固定する下部固定手段に、シャワーホースを着脱自在、かつ、揺動自在に係止するホースフックが浴室壁面に垂直方向に連設されているため、
シャワーホースも揺動自在となり、捩れたり、折れ曲がることなく、シャワーヘッドの動きに追従して滑らかに動くことができる。その結果、流路が狭くなって、湯水の出が悪くなったり、シャワーホースが傷むという問題を防いで快適にシャワーを使うことができる。
【０００８】
上記ホースフックが、スライドバーの下部固定手段のキャップ部にタッピングネジとダブルナットとによって揺動自在に螺着されているため、無理な力を加えることなく、シャワーホースの動きに追従して容易に揺動することができる。
【０００９】
上記ヘッドフックが上記スライドバーに抵抗スライド自在に設けられているため、使用者は好みの位置にヘッドフックを移動させ、シャワーを使うことができ
る。
【００１０】
上記スライドバーをステンレススチールで形成したとき、弾性を有する合成樹脂から形成されたヘッドフックを弾性的に取付けることができ、該ヘッドフックを滑らかに抵抗スライドすることができる。また、上記ヘッドフックに加えてホースフックも弾性を有する合成樹脂から形成されているため、シャワーヘッドおよびシャワーホースを着脱自在に、しっかりと弾性係止することができる。
【発明を実施するための最良の形態】
【００１１】
以下、本発明の実施形態について図面を参照して、詳細に説明する。図１は、本発明にかかるシャワー装置Ａを示す正面図である。図１からよくわかるように、ステンレススチールからなるスライドバー３は、浴室壁面Ｗに上部固定手段２ａと下部固定手段２とによって固定されている。また、このスライドバー３の上部には、シャワー４のシャワーヘッド４ａを着脱自在に係止するために、弾性を有する合成樹脂から形成されたヘッドフック５が取付けられている。図２は、シャワーホース４ｂを着脱自在、かつ、揺動自在に係止するホースフック１を示す側面図である。図３は、図２に示すホースフック１の側断面図である。
【００１２】
以下、図２、図３を参照して詳細に説明する。スライドバー３は、下部固定手段２に内設されたスライドバー支持部２２によって支持され、このスライドバー支持部２２は、固定用ビスＦによってしっかりと浴室壁面Ｗに固定され、キャップ部２１で覆われる。図２、図３によく示されているように、ホースフック１と上記キャップ部２１とは、浴室壁面Ｗに垂直方向に連設され、詳しくは、図３の側断面図からわかるように、ホースフック１は、カラー１１を介してキャップ部２１にタッピングネジ６とダブルナット７とによって揺動自在に螺着されている。一方、ホースフック１は、弾性を有する合成樹脂から形成されているため、シャワーホース４ｂを着脱自在に弾性係止することができる。このように、ホースフック１が垂直面内で揺動するため、シャワーホース４ｂも揺動自在となり、捩れたり、折れ曲がることがない。したがって、湯水の出が悪くなったり、シャワーホース４ｂが傷むことを防いで快適にシャワーを使うことができる。なお、該ホースフック１をいわゆるユニバーサルジョイント方式にすることによりシャワーホース４ｂの揺動方向の自由度が一層増すのである。
【００１３】
一方、スライドバー３の上部に取付けられたヘッドフック５も、上記したように、弾性を有する合成樹脂から形成されているため、シャワーヘッド４ａを着脱自在に弾性係止することができる。またヘッドフック５は、スライドバー３に弾性的に取付けられているため、抵抗スライド自在であり、使用者は好みの位置にヘッドフック５を移動させ、シャワーを使うことができ、使用後は、シャワーヘッド４ａをヘッドフック５にしっかりと弾性係止することができる。
【図面の簡単な説明】
【００１４】
【図１】本発明にかかるシャワー装置を示す正面図である。
【図２】本発明にかかるホースフックを示す側面図である。
【図３】図２に示すホースフックの側断面図である。
【図４】公知のシャワー装置を示す正面図である。
【図５】公知のホースフックを示す側面図である。
【符号の説明】
【００１５】
Ａ          本発明にかかるシャワー装置
１          同上ホースフック
１１        同上カラー
２          同上スライドバー下部固定手段
２ａ        同上スライドバー上部固定手段
２１        上記のキャップ部
２２        上記に内設されたスライドバー支持部
３          スライドバー
４          シャワー
４ａ        シャワーヘッド
４ｂ        シャワーホース
５          ヘッドフック
６          タッピングネジ
７          ダブルナット
Ｂ          公知のシャワー装置
８          同上スライドバー下部固定手段
８１        同上スライドバー支持部
９          同上ホースフック
Ｗ          浴室壁面
Ｆ          固定用ビス
【図１】
2005054535.tif 000003
【図２】
2005054535.tif 000004
【図３】
2005054535.tif 000005
【図４】
2005054535.tif 000006
【図５】
2005054535.tif 000007